(57)【要約】【課題】各撮像装置間で容易にそれぞれの有する画像を相互に閲覧することができる撮像装置を提供する。【解決手段】第１のキー情報を取得するキー情報取得手段と、画像データが格納されている格納手段と、外部装置と通信可能とする通信手段と、前記外部装置にアクセスするアクセス手段と、前記外部装置からのアクセスに対して認証を行う認証手段と、前記認証手段による前記認証結果に基づいて、前記外部装置から画像データを取得する外部画像データ取得手段と、を備える撮像装置により、上記課題を解決する。【選択図】      図１
2007156812.tif 000002
【特許請求の範囲】
【請求項１】
撮像部と表示部を有する撮像装置において、
第１の認識情報を取得する認識情報取得手段と、
画像データが格納されている格納手段と、
外部装置と通信可能とする通信手段と、
前記外部装置にアクセスするアクセス手段と、
前記外部装置からのアクセスに対して認証を行う認証手段と、
前記認証手段による前記認証結果に基づいて、前記外部装置から画像データを取得する外部画像データ取得手段と、
を備えることを特徴とする撮像装置。
【請求項２】
前記撮像装置は、さらに、
前記格納されている前記画像データと前記外部画像データ取得手段により取得した前記画像データのうち少なくとも一方を表示させる制御を行う表示形態制御手段と、
を備えることを特徴とする請求項１に記載の撮像装置。
【請求項３】
前記外部装置は、前記撮像装置である
ことを特徴とする請求項１に記載の撮像装置。
【請求項４】
前記格納手段は、着脱可能な記録媒体である
ことを特徴とする請求項１に記載の撮像装置。
【請求項５】
前記認識情報取得手段は、
前記第１の認識情報を生成する認識情報生成手段と、
前記生成した第１の認識情報を認識する認識手段と、
を有することを特徴とする請求項２に記載の撮像装置。
【請求項６】
前記表示形態制御手段は、さらに、前記第１の認識情報生成手段により生成された前記第１の認識情報を表示させる
ことを特徴とする請求項５に記載の撮像装置。
【請求項７】
前記認識情報取得手段は、
前記撮像部により撮像された所定の画像データより前記第１の認識情報を取得する
ことを特徴とする請求項２に記載の撮像装置。
【請求項８】
前記認証手段は、前記外部装置から第２の認識情報が送信された場合、該第２の認識情報と前記第１の認識情報とに基づいて、前記認証を行う
ことを特徴とする請求項２に記載の撮像装置。
【請求項９】
前記撮像装置は、さらに、
前記格納手段に格納されている前記画像が配置される第１の表示用記憶手段と、
前記外部画像データ取得手段により取得された前記画像データが配置される第２の表示用記憶手段と、
を備えることを特徴とする請求項２に記載の撮像装置。
【請求項１０】
前記認証手段は、前記認証の結果に基づいて、前記格納手段に格納された前記画像データの閲覧を前記外部装置に対して許可する
ことを特徴とする請求項２に記載の撮像装置。
【請求項１１】
前記撮像装置は、さらに、
前記認証手段による閲覧許可がされた場合、前記画像データのうち第１の画像データより情報量の少ない画像データであって該第１の画像データに対応する該画像データである第２の画像データを、前記外部装置へ送信する送信手段
を備えることを特徴とする請求項１０に記載の撮像装置。
【請求項１２】
前記撮像装置は、さらに、
前記格納手段に格納された前記画像データのうちの所定の画像について、前記外部装置からの閲覧を禁止する閲覧禁止手段
を備えることを特徴とする請求項２に記載の撮像装置。
【請求項１３】
前記外部装置は、前記撮像装置であり、
前記閲覧禁止手段は、前記外部装置の外部画像データ取得手段による前記画像データの取得の対象外とする
ことを特徴とする請求項１２に記載の撮像装置。
【請求項１４】
前記撮像装置は、さらに、
前記第２の表示用記憶手段に配置された前記画像データの消去または編集を禁止するデータ編集禁止手段
を備えることを特徴とする請求項９に記載の撮像装置。
【請求項１５】
前記撮像装置は、さらに、
所定の操作が行われることにより前記表示形態制御手段に該操作に基づく指示を与える操作手段を備え、
前記表示形態制御手段は、該操作手段による操作に基づいて、前記外部装置に格納されている前記画像データの表示を制御する
ことを特徴とする請求項２に記載の撮像装置。
【請求項１６】
前記撮像装置は、さらに、
前記外部装置の有する前記画像データを当該撮像装置に複製する複製手段
を備えることを特徴とする請求項１１に記載の撮像装置。
【請求項１７】
前記外部装置は、前記撮像装置であり、
前記複製手段は、前記第２の表示用記憶手段に配置された前記第２の画像データに対応する前記第１の画像を、前記外部装置から当該撮像装置の前記第１の表示用記憶手段へ複製する
ことを特徴とする請求項１６に記載の撮像装置。
【請求項１８】
前記通信は、近距離無線通信方式である
ことを特徴とする請求項１に記載の撮像装置。
【請求項１９】
前記撮像装置は、さらに、
前記第１の認識情報を撮像するモードを設定するモード設定手段と、
前記モード設定手段により設定したモードで撮影した画像を前記認識情報取得手段に取得させるか否かを決定させる取得決定手段と、
を備えることを特徴とする請求項７に記載の撮像装置。
【請求項２０】
前記撮像装置は、さらに、
前記モードに設定した後、所定時間が経過した場合または電源がオフにされた場合には、当該モードの設定を解除するモード解除手段
を備えることを特徴とする請求項１９に記載の撮像装置。
【請求項２１】
前記撮像装置は、さらに、
前記取得決定手段による決定に基づいて、前記外部装置から取得した前記画像データの再生または該画像データの複製を行うモードに移行するモード移行手段
を備えることを特徴とする請求項２０に記載の撮像装置。
【請求項２２】
前記撮像装置は、さらに、
前記第１の認識情報に基づいて、前記格納手段に格納されている画像データを暗号化する暗号化手段
を備えることを特徴とする請求項１に記載の撮像装置。
【請求項２３】
前記認証手段は、前記外部画像データ取得手段により取得された前記画像データであって暗号化されている該画像データを、前記第１の認識情報により複号化する
ことを特徴とする請求項１に記載の撮像装置。
【請求項２４】
撮像部と表示部を有する撮像装置の制御方法であって、
第１の認識情報を取得し、
外部装置と近距離無線通信を行って、該外部装置にアクセスし、
前記外部装置からアクセスされた場合、該外部装置から送信された第２の認識情報と前記第１の認識情報とを照合することにより、該外部装置の認証を行い、
前記認証結果に基づいて、前記外部装置から画像データを取得し、
格納手段に格納されている画像データと前記外部画像データ取得手段により取得した前記画像データのうち少なくとも一方を表示させる制御を行う、
ことを特徴とする撮像装置の制御方法。
【発明の詳細な説明】
【技術分野】
【０００１】
本発明は、近距離通信技術を用いた撮像装置に関する。
【背景技術】
【０００２】
近年、画像を撮影してデジタルデータとして記憶することが可能なデジタルカメラ等の撮像装置が普及している。また、インターネット等のネットワークを利用して、電子メールやホームページの閲覧等を行うことも一般的になっている。
【０００３】
このような技術に基づいて、例えば、特許文献１では、ＩＰアドレスをカメラが所有し、当該カメラは、ネットワーク経由で画像の送信要求を受けると、要求された画像をネットワーク上に公開するシステムが開示されている。
【０００４】
また、デジタル化社会、ネットワーク社会の到来により、情報の安全保障が求められている。例えば、特許文献２では、記録媒体と装置の双方に鍵データを有し、その記録媒体とその装置との間で相互に権利確認を行い、適切な権利下で使用されたデータの来歴情報を蓄積し、決済を行うことが開示されている。
【特許文献１】特開２００３−１４３５１８号公報
【特許文献２】特開２００１−３３２０２３号公報
【発明の開示】
【発明が解決しようとする課題】
【０００５】
しかしながら、特許文献１では、ユーザは、欲しい画像を有するカメラのＩＰアドレスを予め知っている必要があり、ネットワークに関する知識を有するユーザ以外にユーザが利用するのが難しかった。
【０００６】
また、特許文献２では、機器と記録媒体間での相互権利確認を行うことについて言及されているが、同じ情報をもつ媒体を装填された機器同士の権利確認については言及されていなかった。
【０００７】
上記の課題に鑑み、本発明では、各撮像装置間で容易にそれぞれの有する画像を相互に閲覧することができる撮像装置を提供する。
【課題を解決するための手段】
【０００８】
本発明にかかる撮像部と表示部を有する撮像装置は、第１の認識情報を取得する認識情報取得手段と、画像データが格納されている格納手段と、外部装置と通信可能とする通信手段と、前記外部装置にアクセスするアクセス手段と、前記外部装置からのアクセスに対して認証を行う認証手段と、前記認証手段による前記認証結果に基づいて、前記外部装置から画像データを取得する外部画像データ取得手段と、を備えることを特徴とする。
【０００９】
また、前記撮像装置は、さらに、前記格納されている前記画像データと前記外部画像データ取得手段により取得した前記画像データのうち少なくとも一方を表示させる制御を行う表示形態制御手段と、を備えることを特徴とする。
【００１０】
また、前記外部装置は、前記撮像装置であることを特徴とする。
また、前記格納手段は、着脱可能な記録媒体であることを特徴とする。
また、前記撮像装置において、前記認識情報取得手段は、前記第１の認識情報を生成する認識情報生成手段と、前記生成した第１の認識情報を認識する認識手段と、を有することを特徴とする。
【００１１】
また、前記撮像装置において、前記表示形態制御手段は、さらに、前記第１の認識情報生成手段により生成された前記第１の認識情報を表示させることを備えることを特徴とする。
【００１２】
また、前記撮像装置において、前記認識情報取得手段は、前記撮像部により撮像された所定の画像データより前記第１の認識情報を取得することを特徴とする。
また、前記撮像装置において、前記認証手段は、前記外部装置から第２の認識情報が送信された場合、該第２の認識情報と前記第１の認識情報とに基づいて、前記認証を行うことを特徴とする。
【００１３】
また、前記撮像装置は、さらに、前記格納手段に格納されている前記画像が配置される第１の表示用記憶手段と、前記外部画像データ取得手段により取得された前記画像データが配置される第２の表示用記憶手段と、を備えることを特徴とする。
【００１４】
また、前記撮像装置において、前記認証手段は、前記認証の結果に基づいて、前記格納手段に格納された前記画像データの閲覧を前記外部装置に対して許可することを特徴とする。
【００１５】
また、前記撮像装置は、さらに、前記認証手段による閲覧許可がされた場合、前記画像データのうち第１の画像データより情報量の少ない画像データであって該第１の画像データに対応する該画像データである第２の画像データを、前記外部装置へ送信する送信手段を備えることを特徴とする。
【００１６】
また、前記撮像装置は、さらに、前記格納手段に格納された前記画像データのうちの所定の画像について、前記外部装置からの閲覧を禁止する閲覧禁止手段を備えることを特徴とする。
【００１７】
また、前記撮像装置において、前記外部装置は、前記撮像装置であり、前記閲覧禁止手段は、前記外部装置の外部画像データ取得手段による前記画像データの取得の対象外とすることを特徴とする。
【００１８】
また、前記撮像装置は、さらに、前記第２の表示用記憶手段に配置された前記画像データの消去または編集を禁止するデータ編集禁止手段を備えることを特徴とする。
また、前記撮像装置は、さらに、所定の操作が行われることにより前記表示形態制御手段に該操作に基づく指示を与える操作手段を備え、前記表示形態制御手段は、該操作手段による操作に基づいて、前記外部装置に格納されている前記画像データの表示を制御することを特徴とする。
【００１９】
また、前記撮像装置は、さらに、前記外部装置の有する前記画像データを当該撮像装置に複製する複製手段を備えることを特徴とする。
また、前記撮像装置において、前記外部装置は、前記撮像装置であり、前記複製手段は、前記第２の表示用記憶手段に配置された前記第２の画像データに対応する前記第１の画像を、前記外部装置から当該撮像装置の前記第１の表示用記憶手段へ複製することを特徴とする。
【００２０】
また、前記撮像装置において、前記通信は、近距離無線通信方式であることを特徴とする。
また、前記撮像装置は、さらに、前記第１の認識情報を撮像するモードを設定するモード設定手段と、前記モード設定手段により設定したモードで撮影した画像を前記認識情報取得手段に取得させるか否かを決定させる取得決定手段と、を備えることを特徴とする。
【００２１】
また、前記撮像装置は、さらに、前記モードに設定した後、所定時間が経過した場合または電源がオフにされた場合には、当該モードの設定を解除するモード解除手段を備えることを特徴とする。
【００２２】
また、前記撮像装置は、さらに、前記取得決定手段による決定に基づいて、前記外部装置から取得した前記画像データの再生または該画像データの複製を行うモードに移行するモード移行手段を備えることを特徴とする。
【００２３】
また、前記撮像装置は、さらに、前記第１の認識情報に基づいて、前記格納手段に格納されている画像データを暗号化する暗号化手段を備えることを特徴とする。
また、前記認証手段は、前記外部画像データ取得手段により取得された前記画像データであって暗号化されている該画像データを、前記第１の認識情報により複号化することを特徴とする。
【００２４】
また、本発明にかかる、撮像部と表示部を有する撮像装置の制御方法は、第１の認識情報を取得し、外部装置と近距離無線通信を行って、該外部装置にアクセスし、前記外部装置からアクセスされた場合、該外部装置から送信された第２の認識情報と前記第１の認識情報とを照合することにより、該外部装置の認証を行い、前記認証結果に基づいて、前記外部装置から画像データを取得し、格納手段に格納されている画像データと前記外部画像データ取得手段により取得した前記画像データのうち少なくとも一方を表示させる制御を行う、ことを特徴とする。
【発明の効果】
【００２５】
本発明を用いることにより、容易に各撮像装置間でそれぞれの有する画像を相互に閲覧することができる。
【発明を実施するための最良の形態】
【００２６】
図１は、本実施形態における画像シェアシステムの概念図を示す。画像シェアシステム１は、近距離通信機能を搭載した撮像装置２（２ａ，２ｂ）から構成される。
撮像装置２は、例えば、デジタルカメラであり、被写体を撮影して画像として記録する機能を有する。撮像装置２に搭載されている近距離通信機能は、例えば、ＩｒＤＡ（Ｉｎｆｒａｒｅｄ  Ｄａｔａ  Ａｓｓｏｃｉａｔｉｏｎ）、Ｂｌｕｅｔｏｏｔｈ等の無線アドホックネットワークの規格を用いた無線通信技術により実現されている。
【００２７】
図１において、撮像装置２ｂの背面には表示部材１２が設けられている。その表示部材１２には、一例としてＱＲコード３が表示されている。このＱＲコード３は、撮像装置２ｂで生成されたものである。
【００２８】
撮像装置２ｂの表示部材１２に表示されたＱＲコード３を撮像している撮像装置２ａは、そのＱＲコード３を解析することで認識する。その結果、そのＱＲコード３が、双方の撮像装置にとっての共通キー（または対応するキー）となる。この場合、双方の撮像装置間での通信が確立する過程において、この共通キーに基づいて、相互に認証し合うことができる。なお、これ以降、共通キー（または対応するキー）を認証キーと称する。
【００２９】
このように、同じ情報（コード）を認識した撮像装置２同士間で通信が可能となる。このコードは撮像装置２（ここでは、カメラＡとする）が生成して表示部材に表示させることができる。この表示部材に表示されたコードを別の撮像装置２（カメラＢとする）は撮影することができる。カメラＢがその撮像したコードを認知すると、カメラＢとカメラＡとの間で通信可能となる。このように、共通のコード（キー）を有する撮像装置間で相互にアクセスが可能となる。
【００３０】
なお、コードは、一方の撮像装置２の表示部材に表示させたものを他方の撮像装置２が読み取る場合だけでなく、例えば、雑誌等に記載されている同一コード（または対となるコード）をそれぞれの撮像装置２が読み取って、相互に通信可能となるようにしてもよい。
【００３１】
画像シェアシステム１によれば、無線で相互に接続できる少なくとも２つの撮像装置２のそれぞれに、共通（または１対）の所定の情報を入力すると、他の撮像装置内に格納されている画像を閲覧することができる。
【００３２】
このような閲覧環境下において、例えば自分の撮像装置２ａで画像を閲覧する場合、当該撮像装置２ａに格納されている画像に引き続いて、他の撮像装置２ｂの画像を閲覧することができる。このとき、当該自分の撮像装置２ａの操作部材を用いて、一定条件下で、他の撮像装置２ｂの画像を操作することができる。
【００３３】
また、撮像装置２には、近距離無線通信の通信環境の変化に柔軟に対応できるように、自身２ａ（自機）の動作及び閲覧に必要な情報を展開する記憶手段と、他機の画像を参照するためにその画像を一時的に記憶する記憶手段とが、それぞれ独立して設けられている。
【００３４】
また、撮像装置２は、画像ごと、所定の画像、または所定の画像の組ごとに、他機２ｂからの閲覧を禁止する閲覧禁止機能を有する。
また、自機２ａの表示部材で他機２ｂの画像を閲覧する場合には、自機２ａの操作部材を使用することができる。
【００３５】
また、自機２ａの表示部材で他機２ｂの画像を閲覧する場合には、他機２ｂの画像はサムネイル画像が表示され、それを自機２ａ側へコピーする操作を行うと、その本画像がコピーされる。
【００３６】
図２は、本実施形態における撮像装置２の背面を示す。撮像装置２の背面には、一例として、操作部材１１、表示部材１２、ファインダー１３が設けられている。操作部材１１には、例えば、フラッシュボタン、セルフタイマーボタン、マクロボタン、メニューボタン、決定ボタン、十字キー等がある。
【００３７】
表示部材１２には、一例としてＱＲコード３が表示されている。このＱＲコード３は、図１の撮像装置２ｂで生成されたものである。なお、本実施形態では、説明の便宜のため、ＱＲコードを用いることにするが、これに限定されない。例えば、ＱＲコード以外の２次元コード（例えば、スタック型２次元コード、マトリックス型２次元コード）、１次元バーコード、記号、図形、文字、模様、またはこれらの組み合わせでもよい。
【００３８】
図３は、本実施形態における撮像装置２のハードウェア構成の概要を示す。撮像装置２は、レンズ２１、撮像素子２２、撮像回路２３、ＡＥ（自動露出）制御回路２４、ＡＦ（オートフォーカス）制御回路２５、画像処理回路２６、着脱メモリ２７、内蔵メモリ２８、通信手段２９、パワーＳＷ（スイッチ）３０、電池３１、電源回路３２、ＣＰＵ３３、閲覧禁止設定手段３４、モードＳＷ（スイッチ）３５、操作部材１１、コード生成手段３６、第１記憶手段３７、第２記憶手段３８、表示駆動回路３９、表示部材１２、及びバス４１から構成される。
【００３９】
レンズ２１は、被写体像を撮像素子２２へ結像する。撮像素子２２は、撮影レンズ２１の作用により撮像素子２２上に結像されている被写体像を光電変換して画像を表現している電気信号を出力する。撮像素子２２は、例えば、ＣＣＤ（Ｃｈａｒｇｅ  Ｃｏｕｐｌｅｄ  Ｄｅｖｉｃｅ）である。
【００４０】
撮像回路２３は、ノイズ成分を低減させるＣＤＳ（Ｃｏｒｒｅｌａｔｅｄ  ＤｏｕｂｌｅＳａｍｐｌｉｎｇ）、信号レベルを安定化させるＡＧＣ（Ａｕｔｏｍａｔｉｃ  Ｇａｉｎ  Ｃｏｎｔｒｏｌ）、及びアナログ電気信号をデジタル電気信号に変換するＡ／Ｄ等を有する。そうして、この撮像回路２３は、撮像素子２２から出力されたアナログ電気信号のノイズ成分を低減させると共に、信号レベルを安定化させ、それをデジタル電気信号に変換して出力する。
【００４１】
ＡＥ（自動露出）制御回路２４は、露出の制御を行う機構である。ＡＦ（オートフォーカス）制御回路２５は、画像データを用いてコントラストＡＦ処理又は測距センサによるＡＦ処理を行う回路である。
【００４２】
画像処理回路２６は、画像データの記録の際に行うガンマ補正やホワイトバランス補正等の補正処理や、画像を構成する画素数を増減させる画像の拡大・縮小処理（リサイズ処理）、等といった各種の画像処理を行う。
【００４３】
着脱メモリ２７は、このデジタルカメラに着脱可能な記録媒体であって、このデジタルカメラで撮影された静止画若しくは動画等の画像データ等が記録される保存用の記録媒体である。例えば、この着脱メモリ２７は、ｘＤカード、スマートメディア（登録商標）やコンパクトフラッシュ（登録商標）等のメモリカード等である。
【００４４】
内蔵メモリ２８は、本実施形態において、例えば、撮像回路２３から出力されるデジタル電気信号である画像データ（静止画若しくは動画等の画像データ、以下同じ）や画像処理回路７による各種画像処理における処理中の画像データ等の一時保存用として使用されたり、ＣＰＵ３３による制御処理の実行のためのワークエリアとして使用されたり、または一定量のデータを格納する保存用等として使用されたりするメモリの総称である。通信手段２９は、例えば、ＩｒＤＡ（Ｉｎｆｒａｒｅｄ  Ｄａｔａ  Ａｓｓｏｃｉａｔｉｏｎ）、Ｂｌｕｅｔｏｏｔｈ等のプロトコルに対応するドライバ、及び、アンテナ等を有する。
【００４５】
ＣＰＵ３３は、中央演算処理部であり、内蔵メモリ２８に格納されている所定のカメラプログラムを実行することで、このデジタルカメラ全体の動作を制御する。尚、この内蔵メモリ２８は、電気的に書き換え動作を行わせることも可能な不揮発性メモリであり、ＣＰＵ３３により実行されるカメラプログラムの他、そのカメラプログラムの実行中に使用される各種データ等が格納される。
【００４６】
パワーＳＷ（スイッチ）３０は、電源回路３２を介して電池３１からの電力を撮像装置２の構成要素となる各回路に供給させるためのスイッチである。電源回路３２は、昇圧回路や保護回路などを備えた回路である。
【００４７】
閲覧禁止手段３４は、後述するシェアモードにおいて、近距離無線通信を介して他の撮像装置から自身の有する画像の閲覧を禁止する機能を有する。後述するように、閲覧禁止手段３４の閲覧禁止機能をＯＮにして撮影した画像は、他の撮像装置から閲覧することはできない。また、閲覧禁止機能をＯＦＦのまま撮影した後であっても、表示部材１２で閲覧禁止したい画像を選択して、その選択した画像に対して閲覧禁止機能をＯＮにして閲覧禁止とすることもできる。また、閲覧禁止機能をＯＮにすることにより閲覧禁止とされた画像を、閲覧禁止機能をＯＦＦにすることで再び閲覧可能にすることもできる。
【００４８】
モードＳＷ（スイッチ）３５は、撮像時の各種モードまたは再生時の各種モードを切り替えたり、またはシェアモードとノンシェアモードとを切り替えたりするためのスイッチである。
【００４９】
操作部材１１は、撮影者からの各種指示を受け付け、それをＣＰＵ３３へ通知するための各種ボタン等である。操作部材１１は、例えば、メニューボタン、十字ボタン、ＯＫボタン、レリーズボタン、録音開始ボタン、録音終了ボタン等である。
【００５０】
メニューボタンは、表示部材１２へのメニュー表示指示を可能にさせるためのものである。十字ボタンは、表示部材１２に表示されている各種項目や画像等の選択を可能にさせるためのものである。ＯＫボタンは、選択されている項目や画像等の決定指示を可能にさせるためのものである。レリーズボタンは、撮影指示を可能にさせるためのものである。
【００５１】
コード生成手段３６は、通信相手の撮像装置との間で通信する際、認証のための認証キーとなる所定のコードを生成する。本実施形態では、一例として、ＱＲコードを生成するが、これに限定されず、上述の通り、ＱＲコード以外の２次元コード（例えば、スタック型２次元コード、マトリックス型２次元コード）、１次元バーコード、記号、図形、文字、模様、またはこれらの組み合わせを生成してもよい。なお、コード生成手段３６は、回路等のハードウェアまたはプログラムにより当該機能を実現することができる。
【００５２】
第１記憶手段３７と第２記憶手段３８はそれぞれ、画像を表示させるための表示用メモリであり、例えば、ＳＤＲＡＭ（Ｓｙｎｃｈｒｏｎｏｕｓ  ＤＲＡＭ）である。第１記憶手段３７は、自機側に格納されている画像を表示させるための表示用メモリである。第２記憶手段３８は、他機側に格納されている画像を参照するためにその画像を一時的に格納して表示させるための表示用メモリである。
【００５３】
表示部材１２は、例えば、ＬＣＤディスプレイ、液晶ディスプレイ、または有機ＥＬディスプレイ等である。表示駆動回路３９は、表示部材１２を駆動させて、表示部材１２に画像が表示できる状態にするための回路である。
【００５４】
バス４１は、ＣＰＵ３３が各種回路や機構等を制御するためにそのような回路（機構）と接続するためのバスである。バス４１は、さらに、不図示の映像信号生成回路、圧縮伸長回路とも接続されている。
【００５５】
映像信号生成回路（不図示）は、画像処理回路２６により画像処理された画像データから、表示部材１２が表示可能な映像信号を生成してこの表示部材１２へ出力する、等といった処理を行う。これにより、表示部材１２には、その映像信号に基づく映像（静止画や動画等）が表示される。
【００５６】
圧縮伸長回路（不図示）は、画像データの記録・再生のための、例えば、ＪＰＥＧ（Ｊｏｉｎｔ  Ｐｈｏｔｏｇｒａｐｈｉｃ  Ｅｘｐｅｒｔｓ  Ｇｒｏｕｐ）方式等による画像データの圧縮・伸張処理を行う。
【００５７】
次に、本発明において実現する機能を、図４〜図６を用いて、説明する。
図４は、２台の撮像装置がノンシェア（非共有）モードでの、それぞれの撮像装置の表示部材に表示される画像を示す。ここでは、２台の撮像装置をそれぞれ、カメラＡ（２ａ）、カメラＢ（２ｂ）とする。なお、同図において、カメラＡ（２ａ）について添え字ａを付与して表し、カメラＢ（２ｂ）について添え字ｂを付与して表す。
【００５８】
図４（ａ）は、カメラＡで表示される画像を示す。これらの画像は、カメラＡに格納された画像である。カメラＡでは、画像Ａ−１〜Ａ−１０を表示することができる。画像Ａ−１〜Ａ−１０は、着脱メモリ２７ａまたは内蔵メモリ２８ａに格納されており、ＣＰＵ３３ａにより読み出されて、第１記憶手段３７ａに展開されて表示部材１２ａに表示される。
【００５９】
図４（ｂ）は、カメラＢで表示される画像を示す。これらの画像は、カメラＢに格納された画像である。カメラＢでは、画像Ｂ−１〜Ｂ−１３を表示することができる。画像Ｂ−１〜Ｂ−１３は、着脱メモリ２７ｂ、または内蔵メモリ２８ｂに格納されており、ＣＰＵ３３ｂにより読み出されて、第１記憶手段３７ｂに展開されて表示部材１２ｂに表示される。
【００６０】
同図において、それぞれのカメラに格納されている画像は、それぞれのカメラでしか表示させることができない。すなわち、カメラＡに格納されている画像Ａ−１〜Ａ−１０はカメラＡでしか表示できない。また、カメラＢに格納されている画像Ｂ−１〜Ｂ−１３はカメラＢでしか表示できない。これは、従来の個々独立したカメラが自身に格納されている画像しか参照できないのと同様である。
【００６１】
図５は、本実施形態におけるシェア（共有）モードでの、それぞれの撮像装置の表示部材に表示される画像を示す。同図は、図４で説明したカメラＡ，カメラＢをシェアモードにしたものである。
【００６２】
図５（ａ）は、カメラＡで表示される画像を示す。カメラＡでは、画像Ａ−１〜Ａ−１０及び画像Ｂ−１〜Ｂ−１３を表示することができる。このカメラＡで閲覧できる画像Ｂ−１〜Ｂ−１３は、カメラＢに格納されている画像Ｂ−１〜Ｂ−１３のサムネイル画像である。
【００６３】
画像Ａ−１〜Ａ−１０は、カメラＡの着脱メモリ２７ａまたは内蔵メモリ２８ａに格納されており、ＣＰＵ３３ａにより読み出されて、第１記憶手段３７ａに展開されて表示部材１２ａに表示される。また、カメラＡで閲覧できる画像Ｂ−１〜Ｂ−１３は、近距離無線通信を経由してカメラＢよりサムネイル画像として送信されて、カメラＡの第２記憶手段３８ａに展開されたものを、カメラＡの表示部材１２ａで閲覧したものである。
【００６４】
図５（ｂ）は、カメラＢで表示される画像を示す。カメラＢでは、画像Ｂ−１〜Ｂ−１３及び画像Ａ−１〜Ａ−１０を表示することができる。このカメラＢで閲覧できる画像Ａ−１〜Ａ−１０は、カメラＡに格納されている画像Ａ−１〜Ａ−１０のサムネイル画像である。
【００６５】
画像Ｂ−１〜Ｂ−１３は、カメラＢの着脱メモリ２７ｂまたは内蔵メモリ２８ｂに格納されており、ＣＰＵ３３ｂにより読み出されて、第１記憶手段３７ｂに展開されて表示部材１２ｂに表示される。また、カメラＢで閲覧できる画像Ａ−１〜Ａ−１０は、近距離無線通信を経由してカメラＡよりサムネイル画像として送信されて、カメラＢの第２記憶手段３８ｂに展開されたものを、カメラＢの表示部材１２ｂで閲覧したものである。
【００６６】
同図において、それぞれのカメラＡ，Ｂに格納されている画像は、相互に相手方のカメラで表示させることができる。すなわち、カメラＡに格納されている画像Ａ−１〜Ａ−１０はカメラＡでも表示できるし、カメラＢでもサムネイル画像として表示させることができる。また、カメラＢに格納されている画像Ｂ−１〜Ｂ−１３はカメラＢでも表示できるし、カメラＡでもサムネイル画像として表示させることができる。
【００６７】
図６は、シェアモードにおける、一方の撮像装置に格納されている画像を他方の撮像装置にコピーした場合の一例を示す。同図では、図５（ａ）の状態から画像Ｂ−２を閲覧している側の撮像装置にコピーした様子である。
【００６８】
図６（ａ）は、図５（ａ）と比べて、画像Ａ−１１が追加されている。これは、画像Ｂ−２（サムネイル画像）の本画像を画像Ａ−１１としてコピーしたものである。
図６（ｂ）は、図５（ａ）と比べて、画像Ａ−１１が追加されて、画像Ｂ−２（サムネイル画像）が消去されている。これは、画像Ｂ−２（サムネイル画像）の本画像を画像Ａ−１１としてコピーし、その代わりにサムネイル画像Ｂ−２を削除したものである。
【００６９】
それでは、以下において、上述したノンシェアモード及びシェアモードでの撮像装置の詳細な処理を説明する。
図７は、本実施形態における撮像装置の基本動作フローを示す。まず、ユーザはパワーＳＷ３０をＯＮにして撮像装置２を起動させる（ステップ１、以下、ステップを「Ｓ」と称する）。
【００７０】
次に、ＣＰＵ３３は、撮像装置２のＳＷ３５により切り替えられたカメラモードが「撮影モード」か「再生モード」かを検知する（Ｓ２）。ＣＰＵ３３は、モードＳＷ３５の切り替えに応じて発信される信号を検知することにより、ユーザによりどちらのモードが選択されたかを判定する。
【００７１】
Ｓ２で、ＣＰＵ３３は、撮像装置２のカメラモードが「撮影モード」であると判定した場合、撮影モード状態に移行する（Ｓ３）。ここでは、ＣＰＵ３３は、撮像装置２の各構成要素の初期化等、撮像装置２が撮影動作を行なうために必要な各種の初期設定の処理が行なわれる。さらに、内蔵メモリ２８に格納されている本実施形態にかかるプログラムがＣＰＵ３３より読み出され、後述のフローが実行される。
【００７２】
Ｓ２で、ＣＰＵ３３は、撮像装置２のカメラモードが「再生モード」であると判定した場合、さらに「シェアモード」か「ノンシェアモード」かを検知する（Ｓ４）。ＣＰＵ３３は、上述の通り、モードＳＷ３５の切り替えに応じて発信される信号を検知することにより、ユーザによりどちらのモードが選択されたかを判定する。
【００７３】
Ｓ４で、ＣＰＵ３３は、撮像装置２のカメラモードが「ノンシェアモード」であると判定した場合、通常再生モード状態に移行する（Ｓ５）。ＣＰＵ１３は、撮像装置２の表示部材１２に画像を再生させるために必要な各種の初期設定の処理を行う。例えば、内蔵メモリ２８に格納されている本実施形態にかかるプログラムがＣＰＵ３３より読み出され、後述のフローが実行される。
【００７４】
Ｓ４で、ＣＰＵ３３は、撮像装置２のカメラモードが「シェアモード」であると判定した場合、シェアモードで動作させるのに必要な認証処理の前段階の準備処理を行う（Ｓ６）。ここでは、認証キーの入力または出力処理を行う。例えば、図１で説明したように、表示部材１２に所定のコードを表示させたり、そのコードを読み取ったり、または、紙面に記載されている所定のコードを読み取ったりする。
【００７５】
Ｓ６での認証準備処理後、ＣＰＵ３３は、シェア再生モードに移行する（Ｓ７）。
次に、撮影モードにおける撮影処理のフローチャートについて説明する。撮影モードには、撮影した画像の閲覧を禁止する設定をした場合に実行されるフローと、撮影した画像の閲覧を禁止しない設定をした場合に実行されるフローとがある。この設定は閲覧禁止設定手段３４により設定することができる。この設定に応じて、図７のＳ３から移行して、図８または図９のフローが実行される。
【００７６】
図８は、本実施形態における撮影モード（閲覧禁止設定をしていない場合）のフローチャートを示す。まず、ＣＰＵ３３は、シャッターボタンが半押しされているか否かを判定する（Ｓ１１）。ここでは、ＣＰＵ３３は、シャッターボタンの押下状態に応じて発信される信号のうち半押しされると発信される信号を検知した場合、シャッターボタンが半押しされていると判定する。
【００７７】
シャッターボタンが半押しされていると判定した場合、ＣＰＵ３３は、さらに、シャッターボタンが全押しされているか否かを判定する（Ｓ１２）。ここでは、ＣＰＵ３３は、シャッターボタンの押下状態に応じて発信される信号のうち全押しされると発信される信号を検知した場合、シャッターボタンが全押しされていると判定する。
【００７８】
シャッターボタンが全押しされていると判定した場合、ＣＰＵ３３は、ＡＦ（オートフォーカス）等の撮影条件をセットする（Ｓ１３）。例えば、ＣＰＵ３３は、操作部材１１により入力された情報または各種センサー等により入力された情報に基づいて、ＡＥ制御回路２４を駆動させて、ＡＥ制御回路２４にＡＥ制御をさせたり、またはＡＦ制御回路２５を駆動させて、ＡＦ制御回路２５にＡＦ制御をさせたりする。そして、ＣＰＵ３３は、撮影処理を行い、画像を取得して、着脱メモリにその画像を記録する（Ｓ１４）。
【００７９】
Ｓ１２で、シャッターボタンが全押しされていないと判定した場合、ＣＰＵ３３は、既にＡＦ（オートフォーカス）等の撮影条件のセットが完了しているか否かを判定する（Ｓ１５）。
【００８０】
ＣＰＵ３３は、既にＡＦ（オートフォーカス）等の撮影条件のセットが完了していると判定した場合、Ｓ１１の処理へ戻る。ＣＰＵ３３は、未だＡＦ（オートフォーカス）等の撮影条件のセットが完了していないと判定した場合、ＣＰＵ３３は、ＡＦ（オートフォーカス）等の撮影条件をセットして（Ｓ１６）、Ｓ１１の処理に戻る。Ｓ１６の処理は、Ｓ１３と同様である。
【００８１】
Ｓ１１でシャッターボタンが半押しされていないと判定した場合、またはＳ１４の処理が終了した場合、ＣＰＵ３３は、撮像装置２に対して設定操作がなされたか否かを判定する（Ｓ１７）。ここでは、ＣＰＵ３３は、操作部材１１により操作されるとその操作内容に応じて発信される信号を検知した場合、ＣＰＵ３３は、その操作に応じた設定を行う。
【００８２】
Ｓ１７で、撮像装置２に対して設定操作がされたと判定した場合、ＣＰＵ３３は、その操作の設定内容（操作信号）に基づいて、撮像装置２の設定を行う（Ｓ１８）。全て操作に応じた設定が終わるまでＳ１８を繰り返す（Ｓ１９）。
【００８３】
Ｓ１７で操作設定がされていないと判定した場合、またはＳ１９が終了した場合、ＣＰＵ３３は、モード変更がなされたか否かを判定する（Ｓ２０）。ここでは、モードＳＷ３５が切り替えられた（設定された）場合に発信される切り替え後のモードを通知する信号を検知する。
【００８４】
Ｓ２０で、モードが変更（設定）されたことを検知した場合、その変更（設定）後のモードへ移行する（Ｓ２１）。
ＣＰＵ１３は、パワーＳＷ３０により電源がＯＦＦになるまで、上述のＳ１１〜Ｓ２１の処理を繰り返す（Ｐ２２）。パワーＳＷ３０により電源がＯＦＦにされた場合、ＣＰＵ３３は撮像装置２をパワーオフ状態へ遷移させる（Ｐ２３）。
【００８５】
このようにして撮影が終了したら、ＣＰＵ３３は、本フローを終了し、遷移元の図７のフローへ処理が戻る。
図９は、本実施形態における撮影モード（閲覧禁止設定をしている場合）のフローチャートを示す。同図は、図８にＳ３０〜Ｓ３１の処理を追加したものである。よって、ここでは、この追加した処理についてのみ説明し、その他の処理は図８と同様である。
【００８６】
ＣＰＵ３３は、Ｓ１１でシャッターボタンが半押しされていないと判定した場合、またはＳ１４の処理が終了した場合、Ｓ１４で撮影された画像を公開するか否かを判定する（Ｓ３０）。画像を公開するか否かの設定は、操作部材１１で設定することができるので、ＣＰＵ３３は、撮像装置２に対してその設定に基づく指示信号を検知する。なお、ここでの公開とは、後述するシェアモードにおいて、近距離無線通信を介してその画像を他機から閲覧可能なようにすることを意味する。
【００８７】
Ｓ３０で検知した指示信号が撮影した画像の公開の禁止を示す場合、ＣＰＵ３３は、公開の禁止を示す旨の情報をその画像に付加する（Ｓ３１）。
Ｓ３０で検知した指示信号が撮影した画像の公開を示す場合、または、Ｓ３１の処理が終了した場合、ＣＰＵ３３は、その画像を記録する（Ｓ３２）。ここでは、ＣＰＵ３３は、撮影した画像を着脱メモリ２７に格納する。
【００８８】
なお、Ｓ１８で、ＣＰＵ３３は、その操作の設定内容（操作信号）に基づいて、撮像装置２の設定を行うが、この設定内容の中には、公開を禁止するか否かの設定も含む。
図１０は、本実施形態における通常再生モードのフローチャートを示す。同図のフローは、図７のＳ５の処理の詳細を示す。まず、ＣＰＵ３３は、再生対象となる画像を着脱メモリ２７より読み出して、第１記憶手段３７にマウントする（Ｓ４１）。ここでは、ＣＰＵ３３は、画像をマウントする以外にも、例えば、その画像に付随する情報をマウントしたり、着脱メモリ２７に記憶されている画像の枚数をマウントしたり等する。
【００８９】
次に、ＣＰＵ３３は、操作部材１１の各操作に応じて発信される信号を検知し、それぞれに操作に応じた処理を行う。コマ送り操作がされた場合（Ｓ４２）には、ＣＰＵ３３は、次の画像を表示させる（Ｓ４３）。コマ戻し操作がされた場合（Ｓ４４）には、ＣＰＵ３３は、前の画像を表示させる（Ｓ４５）。
【００９０】
先頭コマ出し操作がされた場合（Ｓ４６）には、ＣＰＵ３３は、先頭画像を表示させる（Ｓ４７）。最終コマ出し操作がされた場合（Ｓ４８）には、ＣＰＵ３３は、最終画像を表示させる（Ｓ４９）。再生機能各種操作がされた場合（Ｓ５０）、ＣＰＵ３３は、操作に応じた機能を実行する（Ｓ５１）。
【００９１】
公開禁止設定操作がされた場合（Ｓ５２）、ＣＰＵ３３は、対象画像に禁止情報を付加する（Ｓ５３）。公開禁止設定は、図９で説明したように撮影時にも設定できるが、再生時にも設定することができる。この公開禁止設定は、表示部材１２に表示されるメニュー画面から遷移できる所定の設定画面で設定することができる。
【００９２】
ＣＰＵ３３は、モード変更操作がなされた場合（Ｓ５４）、その変更（設定）されたモードへ移行する（Ｓ５５）。
パワーＳＷ３０により電源がＯＦＦになるまで、ＣＰＵ３３は、Ｓ４２〜Ｓ５５の処理を繰り返し実行する（Ｓ５６）。ここでいう、再生が終了するとは、例えば、再生モードから他のモード（撮影モード等）に切り替わったり、その他の割り込み処理が入ったりした場合等である。以降で説明するフローについても同様である。パワーＳＷ３０により電源がＯＦＦにされた場合、ＣＰＵ３３は撮像装置２をパワーオフ状態へ遷移させる（Ｓ５７）。
【００９３】
このようにして撮影が終了したら、ＣＰＵ３３は、本フローを終了し、遷移元の図７のフローへ処理が戻る。
次に、図７のＳ６で説明したシェアモード認証準備について詳述する。シェアモード認証準備処理の一例として、２つの認証準備のタイプについて説明する。１つが、撮像装置の表示部材に所定のコードを表示するタイプ（タイプ１）（図１１参照）と、もう１つが、紙面に記載された所定のコードを読み取るタイプ（タイプ２）（図１２参照）である。以下では、これらの認証タイプの処理のフローについて説明する。
【００９４】
図１１は、本実施形態における認証準備処理のフローチャート（タイプ１）を示す。同図は、撮像装置の表示部材に所定のコードを表示するタイプのフローである。同図では、ＱＲコードについて説明するが、上述の通り、これに限定されないのは言うまでもない。なお、以下のＳ６１〜Ｓ６７の処理は、図１の撮像装置２ｂ側の処理に相当し、Ｓ６８〜Ｓ７２は、図１の撮像装置２ａ側の処理に相当する。
【００９５】
まず、ＣＰＵ３３は、ＱＲコード発行操作がなされた否かを判定する（Ｓ６１）。ここでは、ユーザが操作部材１１で所定の操作を行うと、ＱＲコードを発行する旨の指示信号が発信される。ＣＰＵ３３は、このコード発行指示信号を検知した場合にＱＲコード発行操作がなされたと判定する。
【００９６】
Ｓ６１で、ＱＲコード発行操作がなされたと判定した場合、ＣＰＵ３３は、コード生成手段３６を制御して、コード生成手段３６にランダムにＱＲコードを生成させる。ＣＰＵ３３は、その生成したＱＲコードを表示部材１２に表示させる（Ｓ６２）。ＣＰＵ３３は、計時をスタートさせて（Ｓ６３）、所定時間分カウントする（Ｓ６４）。
【００９７】
Ｓ６４で、所定時間経過した後、ＣＰＵ３３はＳ６２で表示させたＱＲコード（発行コード）を解析し、その内容を認識する（Ｓ６５）。
その後、ＣＰＵ３３は、表示部材１２に表示させていたＱＲコードを消去して、ＱＲコードの表示を終了させる（Ｓ６６）。その後、ＣＰＵ３３は、後述する通信を開始する（Ｓ６７）。
【００９８】
Ｓ６１で、ＱＲコード発行操作がなされなかったと判定した場合、すなわち、ＱＲコードを発行する旨の指示信号を検知するまでは、ＣＰＵ３３は、ＱＲコードの入力待ちの状態で待機する（Ｓ６８）。ここで、ＱＲコードが入力されるとは、例えば、図１における撮像装置２ｂの表示部材１２に表示されたＱＲコード３を撮像装置２ａが撮像した場合に相当する。
【００９９】
Ｓ６８で、ＱＲコードが撮像（入力）されると、ＣＰＵ３３は、そのＱＲコード情報を取得することができる（Ｓ６９）。
Ｓ６９で、所定時間内でＱＲコードを取得できなかった場合、ＣＰＵ３３は、ＱＲコード取得処理を中止するか否かを判定する（Ｓ７２）。中止する場合とは、例えばパワースイッチがＯＦＦにされた場合や、ユーザの操作部材１１からの指示により当該処理を中止する場合や、所定時間にＱＲコードが入力されなかった場合や、Ｓ６９の判断を所定回数繰り返された場合等がある。Ｓ７２で中止すると判定した場合、ＣＰＵ３３は、本フローに基づく処理を終了する。中止しないと判定した場合、ＣＰＵ３３は、再びＳ６９の処理を行う。
【０１００】
Ｓ６９でＱＲコードを取得した場合、ＣＰＵ３３はその取得したＱＲコードを認識する（Ｓ７０）。その後、ＣＰＵ３３は、ＱＲコード入力待ち状態を終了し（Ｓ７１）、後述する通信を開始する（Ｓ６７）。
【０１０１】
図１２は、本実施形態における認証準備処理のフローチャート（タイプ２）を示す。同図は、紙面に記載された所定のコードを読み取るタイプのフローである。このフローは、図１１のＳ６８に対応するＳ６８ａの処理をした後、図１１のＳ６９〜Ｓ７２、及びＳ６７の処理を行う。
【０１０２】
Ｓ６８ａでは、通信し合う撮像装置のそれぞれが、紙面に記載されたＱＲコードを撮像することにより、ＱＲコード情報を取得する。
次に、図７のＳ７で説明したシェア再生モードについて詳述する。このシェア再生モードは、自身の撮像装置内に記録されている画像と共に、近距離無線通信を介して接続されている撮像装置に記録されている画像を閲覧することができる。なお、このシェア再生モードは、自身の撮像装置内に記録されている画像は編集できるが、当該自身の撮像装置からは、他方の撮像装置内に記録されている画像を編集することはできない。それでは、図１３を用いて、このシェア再生モードを詳述する。
【０１０３】
図１３は、本実施形態におけるシェア再生モードのフローチャートを示す。同図において、一方の撮像装置について添え字ａを付与して表し、他方の撮像装置について添え字ｂを付与して表す。
【０１０４】
まず、ＣＰＵ３３ａは、再生対象となる画像を着脱メモリ２７ａより読み出して、第１記憶手段３７ａにマウントする（Ｓ８１）。ここでは、ＣＰＵ３３ａは、画像をマウントする以外にも、例えば、その画像に付随する情報を第１記憶手段３７ａにマウントしたり、着脱メモリ２７ａに記憶されている画像の枚数を第１記憶手段３７ａにマウントしたり等する。
【０１０５】
次に、撮像装置２ａのＣＰＵ３３ａは、通信可能な他の撮像装置２ｂが存在するか否かを判定する（Ｓ８２）。この処理については、後述する。
次に、ＣＰＵ３３ａは、Ｓ８２で認証を受けた撮像装置２ｂの再生対象画像（サムネイル画像）を、近距離無線通信を介して受信する。そして、ＣＰＵ３３ａは、その受信した撮像装置２ｂの再生対象画像を第２記憶手段３８ａにマウントする（Ｓ８３）。第２記憶手段３８ａにマウントされた撮像装置２ｂの再生対象画像は、撮像装置２ａの表示部材１２ａで閲覧することができる。
【０１０６】
次に、ＣＰＵ３３ａは、操作部材１１ａの各操作に応じて発信される信号を検知し、それぞれに操作に応じた処理を行う。
コマ送り操作がされた場合（Ｓ８４）には、ＣＰＵ３３ａは、それまで表示されていた画像が自機（この場合、撮像装置２ａ）に格納されている画像であるか否かを判定する（Ｓ８５）。
【０１０７】
Ｓ８５で、それまで表示されていた画像が自機２ａに格納されている画像でない場合（すなわち、他機２ｂの画像である場合）、ＣＰＵ３３ａは、その他機２ｂに格納されている次の画像を表示させる（Ｓ８７）。
【０１０８】
Ｓ８５で、それまで表示されていた画像が自機２ａに格納されている画像である場合、ＣＰＵ３３ａはその画像が自機２ａに格納されている画像のうちの最終画像であるか否かを判定する（Ｓ８６）。
【０１０９】
Ｓ８６で、その画像が自機２ａの最終画像である場合、ＣＰＵ３３ａは他機２ｂに格納されている画像のうち先頭画像を表示させる（Ｓ８８）。Ｓ８６で、その画像が自機２ａの最終画像でない場合、ＣＰＵ３３ａは、自機２ａに格納されている次の画像を表示させる（Ｓ８７）。
【０１１０】
次に、コマ戻し操作がされた場合（Ｓ８９）には、ＣＰＵ３３ａは、それまで表示されていた画像が他機２ｂに格納されている画像であるか否かを判定する（Ｓ９０）。
Ｓ９０で、それまで表示されていた画像が他機２ａに格納されている画像でない場合（すなわち、自機２ａの画像である場合）、ＣＰＵ３３ａは、その自機２ａに格納されている前の画像を表示させる（Ｓ９２）。
【０１１１】
Ｓ９０で、それまで表示されていた画像が他機２ｂに格納されている画像である場合、ＣＰＵ３３ａはその画像が他機２ｂに格納されている画像のうちの先頭画像であるか否かを判定する（Ｓ９１）。
【０１１２】
Ｓ９１で、その画像が自機２ｂの先頭画像である場合、ＣＰＵ３３ａは自機２ａに格納されている画像のうち最終画像を表示させる（Ｓ９３）。Ｓ９１で、その画像が他機２ｂの先頭画像でない場合、ＣＰＵ３３ａは、他機２ｂに格納されている前の画像を表示させる（Ｓ９２）。
【０１１３】
先頭コマ出し操作がされた場合（Ｓ９４）には、ＣＰＵ３３ａは、自機２ａに格納されている先頭画像を表示させる（Ｓ９５）。
最終コマ出し操作がされた場合（Ｓ９６）には、ＣＰＵ３３ａは、他機２ｂに格納されている最終画像を表示させる（Ｓ９７）。
【０１１４】
コピー操作がされた場合（Ｓ９８）には、対象画像（対象のサムネイル画像）の本画像データを他機２ｂの着脱メモリ２７ｂから自機２ａの第１記憶手段３７ａ、内蔵メモリ２８ａ、または着脱メモリ２７ａにコピーする（Ｓ９９）。具体的には、ＣＰＵ３３ａは、撮像装置２ｂに対して、対象画像（対象のサムネイル画像）の本画像データを送信する旨の指示情報を送信する。撮像装置２ｂ側において、この指示信号を受信したＣＰＵ３３ｂは、撮像装置２ｂの対象画像（対象のサムネイル画像）の本画像データを、撮像装置２ｂに対して送信する。撮像装置２ａ側において、この本画像データを受信したＣＰＵ３３ａは、この本画像データを自機２ａの第１記憶手段３７ａ、内蔵メモリ２８ａ、または着脱メモリ２７ａに格納する。
【０１１５】
再生機能各種操作がされた場合（Ｓ１００）、ＣＰＵ３３ａは、現在、表示部材１２ａに表示されている画像が他機２ｂの画像であるか否かを判定する（Ｓ１０１）。Ｓ１０１で、現在、表示部材１２ａに表示されている画像が他機２ｂの画像である場合、ＣＰＵ３３ａは、その画像について編集等の画像の内容を更新する操作に対してはその操作の実行を許可しない。
【０１１６】
Ｓ１０１で、現在、表示部材１２ａに表示されている画像が他機２ｂの画像でない場合（すなわち、自機２ａの画像である場合）、ＣＰＵ３３ａは、その操作に応じた機能を実行する（Ｓ１０２）。
【０１１７】
ＣＰＵ３３は、モード変更操作がなされた場合（Ｓ１０３）、その変更（設定）されたモードへ移行する（Ｓ１０４）。
パワーＳＷ３０により電源がＯＦＦになるまで、ＣＰＵ１３は、Ｓ８２〜Ｓ１０４の処理を繰り返し実行する（Ｐ１０５）。
【０１１８】
Ｓ８２で、撮像装置２ａのＣＰＵ３３ａは、通信可能な他の撮像装置２ｂが存在しないと判定した場合、図１０で説明したノンシェアモードの同様の処理を行う。具体的には、ＣＰＵ３３は、操作部材１１の各操作に応じて発信される信号を検知し、それぞれに操作に応じた処理を行う。
【０１１９】
コマ送り操作がされた場合（Ｓ１０６）には、ＣＰＵ３３ａは、自機２ａの次の画像を表示させる（Ｓ１０７）。
コマ戻し操作がされた場合（Ｓ１０８）には、ＣＰＵ３３ａは、自機２ａの前の画像を表示させる（Ｓ１０９）。
【０１２０】
先頭コマ出し操作がされた場合（Ｓ１１０）には、ＣＰＵ３３ａは、自機２ａの先頭画像を表示させる（Ｓ１１１）。
最終コマ出し操作がされた場合（Ｓ１１２）には、ＣＰＵ３３ａは、自機２ａの最終画像を表示させる（Ｓ１１３）。
【０１２１】
再生機能各種操作がされた場合（Ｓ１１４）、ＣＰＵ３３ａは、操作に応じた機能を実行する（Ｓ１１５）。
ＣＰＵ３３は、モード変更操作がなされた場合（Ｓ１１６）、その変更（設定）されたモードへ移行する（Ｓ１１７）。
【０１２２】
パワーＳＷ３０ａにより電源がＯＦＦになるまで、ＣＰＵ３３ａは、Ｓ１０６〜Ｓ１１７の処理を繰り返し実行する（Ｓ１１８）。
Ｓ１０５またはＳ１１８で、パワーＳＷ３０ａにより電源がＯＦＦにされた場合、ＣＰＵ３３ａは撮像装置２ａをパワーオフ状態へ遷移させる（Ｓ１１９）。
【０１２３】
このようにして撮影が終了したら、ＣＰＵ３３ａは、本フローを終了し、遷移元の図７のフローへ処理が戻る。
次に、図１３のＳ８２（または図１１、図１２のＳ６７）で説明したシェア再生モードでの撮像装置間で相互に通信を行うプロセスについて詳述する。この通信プロセスの一例として、以下の２つのタイプについて説明する。１つが、一方の撮像装置よりパスワードが送信されると、それを受信した他方の撮像装置側でデータ領域を開放するタイプ（通信タイプ１）（図１４参照）と、もう1つが、データを暗号化して開放し暗号解読にパスワードを使うタイプ(通信タイプ２）（図１５参照）である。以下では、これらの通信タイプの処理のフローについて説明する。
【０１２４】
図１４は、本実施形態における撮像装置間の通信プロセスのフローチャート（通信タイプ１）を示す。まず、各撮像装置２ａ，２ｂのＣＰＵ３３ａ，ＣＰＵ３３ｂは、ＱＲコードを取得する（Ｓ１２１）。この処理は、図１１で言えばＳ６２，Ｓ７０、図１２で言えばＳ７０に相当する処理である。
【０１２５】
次に、ＣＰＵ３３ａ，ＣＰＵ３３ｂは、その取得したＱＲコードを解析して所定の文字列（パスワード）として認識する（Ｓ１２２）。その認識したパスワードは、各撮像装置２ａ，２ｂのＲＡＭの所定の領域に格納される。
【０１２６】
そうすると、ＣＰＵ３３ａ，ＣＰＵ３３ｂはそれぞれ、撮像装置２ａ，２ｂを通信ＳＴＡＮＤＢＹ状態に遷移させる制御を行う（Ｓ１２３）。
次に、撮像装置２ａ，２ｂのうちの一方よりデータ開放要求情報が近距離無線通信により送信される（Ｓ１２４）。同図では、撮像装置２ａよりデータ開放要求情報が送信される。
【０１２７】
撮像装置２ｂ側において、そのデータ開放要求情報を受信したＣＰＵ３３ｂは、撮像装置２ａに対して、パスワードの送信を促す旨の信号（パスワード要求情報）を送信する（Ｓ１２５）。
【０１２８】
そのパスワード要求情報を受信したＣＰＵ３３ａは、撮像装置２ｂに対してＳ１２２で認識したパスワード情報を送信する（Ｓ１２６）。
撮像装置２ｂ側では、そのパスワード情報を受信したＣＰＵ３３ｂは、そのパスワードを解析し（Ｓ１２７）、その受信したパスワードが撮像装置２ｂ側のＳ１２２で認識したパスワードと一致するか否か（または、その受信したパスワードが撮像装置２ｂ側のＳ１２２で認識したパスワードに対応するパスワード）を判断する（Ｓ１２８）。
【０１２９】
Ｓ１２８の判断の結果、パスワードが一致する場合（または、対応するパスワードである場合）、ＣＰＵ３３ｂは、撮像装置２ａを正規の通信相手と認証して、撮像装置２ａに対して画像データを開放する（Ｓ１２９）。具体的には、ＣＰＵ３３ｂは、撮像装置２ｂに格納されているサムネイル画像を撮像装置２ａに送信する。
【０１３０】
撮像装置２ａ側では、ＣＰＵ３３ａは、撮像装置２ｂより送信されたサムネイル画像を受信して第２記憶装置３８ａ（シェア用メモリ）にマウントする（Ｓ１３０）。
次に、ＣＰＵ３３ａは、撮像装置２ｂに対して画像データを開放する（Ｓ１３１）。具体的には、ＣＰＵ３３ａは、撮像装置２ａに格納されているサムネイル画像を撮像装置２ｂに送信する。
【０１３１】
撮像装置２ｂ側では、ＣＰＵ３３ｂは、撮像装置２ａより送信されたサムネイル画像を受信して第２記憶装置３８ｂ（シェア用メモリ）にマウントする（Ｓ１３２）。
これにより、相互に他機の画像を自機の第２記録手段にマウントすることができる。なお、所定時間の間に何も通信が発生しなければ、ＣＰＵ３３ａ，ＣＰＵ３３ｂはそれぞれ、撮像装置２ａ，２ｂを省電力モードへ移行させる。所定時間経過して省電力モードになり、さらに、所定時間の間に何も通信が発生しなければ、ＣＰＵ３３ａ，ＣＰＵ３３ｂはそれぞれ、撮像装置２ａ，２ｂの電源をＯＦＦにする。そうすると、通信は完全に終了し、この後に通信を行う場合は、ＣＰＵ３３ａ，ＣＰＵ３３ｂはそれぞれ、最初（Ｓ１２１）からやり直す。
【０１３２】
図１５は、本実施形態における撮像装置間の通信プロセスのフローチャート（通信タイプ２）を示す。まず、各撮像装置２ａ，２ｂのＣＰＵ３３ａ，ＣＰＵ３３ｂは、ＱＲコードを取得する（Ｓ１４１）。この処理は、図１１で言えばＳ６２，Ｓ７０、図１２で言えばＳ７０に相当する処理である。
【０１３３】
次に、ＣＰＵ３３ａ，ＣＰＵ３３ｂは、その取得したＱＲコードを解析して所定の文字列（パスワード）として認識する（Ｓ１４２）。その認識したパスワードは、各撮像装置２ａ，２ｂのＲＡＭの所定の領域に格納される。
【０１３４】
そうすると、ＣＰＵ３３ａ，ＣＰＵ３３ｂはそれぞれ、撮像装置２ａ，２ｂを通信ＳＴＡＮＤＢＹ状態に遷移させる制御を行う（Ｓ１４３）。
次に、撮像装置２ａ，２ｂのうちの一方より送信宣言が近距離無線通信により通知される（Ｓ１４４）。同図では、撮像装置２ａより送信宣言情報が送信される。
【０１３５】
撮像装置２ｂ側において、その送信宣言情報を受信したＣＰＵ３３ｂは、撮像装置２ｂからのデータの送信を禁止し（Ｓ１４５）、撮像装置２ａに対して、送信してもよい旨を示すＯＫ情報を送信する（Ｓ１４６）。
【０１３６】
撮像装置２ａ側において、そのＯＫ情報を受信したＣＰＵ３３ａは、内蔵メモリ２８ａまたは着脱メモリ２７ａに格納されているサムネイル画像の画像データを読み出して暗号化する。この暗号化したサムネイル画像の画像データを撮像装置２ｂに対して開放（送信）する（Ｓ１４７）。ここの暗号化処理は、例えば、共通鍵方式の暗号化処理を使用することができる。ＣＰＵ３３ａは、Ｓ１４２で認識したパスワードを共通鍵として用いて、サムネイル画像の画像データを暗号化することができる。
【０１３７】
撮像装置２ｂ側において、この暗号化したサムネイル画像の画像データを受信したＣＰＵ３３ｂは、Ｓ１４２で認識したパスワードを共通鍵として用いることで、その暗号化さえたサムネイル画像の画像データを復号化することができる（Ｓ１４８）。
【０１３８】
ＣＰＵ３３ｂは、その復号化したサムネイル画像の画像データを第２記憶手段（シェア用メモリ）３８ｂにマウントする（Ｓ１４９）。マウント処理が終了したら、ＣＰＵ３３ｂは、マウント処理終了を撮像装置２ａに通知する（Ｓ１５０）。
【０１３９】
撮像装置２ａ側において、そのマウント処理終了の通知を受信したＣＰＵ３３ａは、撮像装置２ｂに対するその暗号化したサムネイル画像の画像データの開放（送信）処理を終了する（Ｓ１５１）。そして、ＣＰＵ３３ａは、送信宣言解除を撮像装置２ｂに通知する（Ｓ１５２）。
【０１４０】
撮像装置２ｂ側において、その送信宣言解除通知を受信したＣＰＵ３３ｂは、撮像装置２ｂに送信宣言を通知する（Ｓ１５３）。
撮像装置２ａ側において、その送信宣言情報を受信したＣＰＵ３３ａは、撮像装置２ａからのデータの送信を禁止し（Ｓ１５４）、撮像装置２ｂに対して、送信してもよい旨を示すＯＫ情報を送信する（Ｓ１５５）。
【０１４１】
撮像装置２ｂ側において、そのＯＫ情報を受信したＣＰＵ３３ｂは、内蔵メモリ２８ｂまたは着脱メモリ２７ｂに格納されているサムネイル画像の画像データを読み出して暗号化する。この暗号化したサムネイル画像の画像データを撮像装置２ａに対して開放（送信）する（Ｓ１５６）。ここの暗号化処理は、例えば、共通鍵方式の暗号化処理を使用することができる。ＣＰＵ３３ｂは、Ｓ１４２で認識したパスワードを共通鍵として用いて、サムネイル画像の画像データを暗号化することができる。
【０１４２】
撮像装置２ａ側において、この暗号化したサムネイル画像の画像データを受信したＣＰＵ３３ａは、Ｓ１４２で認識したパスワードを共通鍵として用いることで、その暗号化さえたサムネイル画像の画像データを復号化することができる（Ｓ１５７）。
【０１４３】
ＣＰＵ３３ｂは、その復号化したサムネイル画像の画像データを第２記憶手段（シェア用メモリ）３８ｂにマウントする（Ｓ１５８）。マウント処理が終了したら、ＣＰＵ３３ｂは、マウント処理終了を撮像装置２ａに通知する（Ｓ１５９）。
【０１４４】
撮像装置２ｂ側において、そのマウント処理終了の通知を受信したＣＰＵ３３ｂは、撮像装置２ａに対するその暗号化したサムネイル画像の画像データの開放（送信）処理を終了する（Ｓ１６０）。
【０１４５】
以上で、双方一回ずつの他機の画像の閲覧の処理が終了し、次回の閲覧または操作部材による所定の操作がなされるまで、ＣＰＵ３３ａ，ＣＰＵ３３ｂはそれぞれ、撮像装置２ａ，２ｂを通信ＳＴＡＮＤＢＹ状態に遷移させる制御を行う（Ｓ１６１）。その後、所定時間１の間に何も通信が発生しなければ、ＣＰＵ３３ａ，ＣＰＵ３３ｂはそれぞれ、撮像装置２ａ，２ｂを省電力モードへ移行させる（Ｓ１６２）。
【０１４６】
省電力モード時に通信実行の割り込み処理が発生した場合、ＣＰＵ３３ｂはそれぞれ、撮像装置２ａ，２ｂを通信ＳＴＡＮＤＢＹ状態に遷移させる制御を行う（Ｓ１７０）。撮像装置２ａ，２ｂのうちの一方より送信宣言が近距離無線通信により通知される（Ｓ１７１）。同図では、撮像装置２ａより送信宣言情報が送信される。その後は、上記の処理を繰り返す。
【０１４７】
なお、Ｓ１６２で、所定時間１経過して省電力モードになり、さらに、所定時間２の間に何も通信が発生しなければ、ＣＰＵ３３ａ，ＣＰＵ３３ｂはそれぞれ、撮像装置２ａ，２ｂの電源をＯＦＦにする。そうすると、通信は完全に終了し、この後に通信を行う場合は、ＣＰＵ３３ａ，ＣＰＵ３３ｂはそれぞれ、最初（Ｓ１４１）からやり直す。
【０１４８】
なお、本実施形態では、２台の撮像装置間で画像を共有する場合について説明したが、これに限定されず、３台以上の撮像装置間で画像を共有してもよい。
また、ユーザは、モードＳＷを切り替えてコードを撮像することにより、そのコードの画像をコードとしてＣＰＵに認識させるか、またはそのまま画像として格納するかを選択することができる。
【０１４９】
以上より、本発明によれば、同じコードを認識した撮像装置間相互で画像の閲覧が可能となる。また、コードは、撮像装置内部で生成したものを表示部材に表示させて、他の撮像装置にそのコードを読み取らせることにより、コードを生成した撮像装置と読み取った撮像装置との間で相互に画像の閲覧が可能になる。なお、コードは世の中に存在しているコード（例えば、雑誌等に掲載されているＱＲコード）を流用し、同じコードを読み取った撮像装置間で画像の閲覧が可能になるようにしてもよい。
【０１５０】
本実施形態にかかる撮像装置は、自機が動作するために必要な情報を展開するメモリ（第１記憶手段）と、閲覧対象の他機の画像を一時的に格納するためのメモリ（第２記憶手段）とを備えている。このようにメモリを物理的に２つに分けることにより、３台以上の撮像装置間でそれぞれの画像をシェアする場合にも、複数の撮像装置が同一のメモリを読みにいくという事態を回避することができるので、競合処理の発生の防止、デッドロックの発生防止等を図ることができる。その結果、各撮像装置の動作パフォーマンスの低下を抑制でき、快適に操作することができる。
【０１５１】
また、撮像装置は、生成したコード又は読み取ったコードを認証キーとして用いることにより、他方の撮像装置を認識することができるので、正規の撮像装置に対してのみアクセス許可を出すことができる。
【０１５２】
また、この認証キーを共通鍵方式における共通鍵として用いることで、撮像装置相互で画像データの暗号化及び復号化を行うことができ、セキュリティの向上を図ることができる。
【０１５３】
また、画像ごとや画像組ごとに他機からの閲覧を禁止することができる。これにより他人に見せなくない画像を予め設定することができる。
また、他機の画像を閲覧する場合、自機の操作部材を用いて操作することができる（例えば、コマ送り、コマ戻し、先頭画像表示、最終画像表示等）が、一定の操作については制限されている（例えば、消去や編集はできない）。
【０１５４】
また、自機で他機の画像を閲覧する場合、その画像はデータ容量の小さいサムネイル画像であるため、近距離無線通信のトラフィックジャム等が生じ難い。そのため、快適な近距離無線通信環境で他機の画像を自機で閲覧することができる。
【０１５５】
また、他機の画像を自機の記憶装置等にコピーする場合、サムネイル画像ではなく本画像をコピーすることができる。コピーした画像は、自機の最終コマの次のコマとして表示される。このとき、他機のコピーした当該コマ（サムネイル画像）そのまま見えるようにしてもよいし、見えなくしてもよい。
【０１５６】
なお、コードの認証方法として、例えば、対（組）となる着脱メモリ（専用カードでもよい）に所定のコードが記録されていて、各カードが各撮像装置に装填され、そのコードが認識されると、同じコード（または対になるコード）を認識している他の撮像装置との間で相互に画像の閲覧が可能になるようにしてもよい。
【０１５７】
なお、本発明は、以上に述べた実施の形態に限定されるものではなく、本発明の要旨を逸脱しない範囲内で種々の構成または形状を取ることができる。
【図面の簡単な説明】
【０１５８】
【図１】本実施形態における画像シェアシステムの概念図を示す。
【図２】本実施形態における撮像装置２の背面を示す。
【図３】本実施形態における撮像装置２のハードウェア構成の概要を示す。
【図４】２台の撮像装置がノンシェア（非共有）モードでの、それぞれの撮像装置の表示部材に表示される画像を示す。
【図５】本実施形態におけるシェア（共有）モードでの、それぞれの撮像装置の表示部材に表示される画像を示す。
【図６】シェアモードにおける、一方の撮像装置に格納されている画像を他方の撮像装置にコピーした場合の一例を示す。
【図７】本実施形態における撮像装置の基本動作フローを示す。
【図８】本実施形態における撮影モード（閲覧禁止設定をしていない場合）のフローチャートを示す。
【図９】本実施形態における撮影モード（閲覧禁止設定をしている場合）のフローチャートを示す。
【図１０】本実施形態における通常再生モードのフローチャートを示す。
【図１１】本実施形態における認証準備処理のフローチャート（タイプ１）を示す。
【図１２】本実施形態における認証準備処理のフローチャート（タイプ２）を示す。
【図１３】本実施形態におけるシェア再生モードのフローチャートを示す。
【図１４】本実施形態における撮像装置間の通信プロセスのフローチャート（通信タイプ１）を示す。
【図１５】本実施形態における撮像装置間の通信プロセスのフローチャート（通信タイプ２）を示す。
【符号の説明】
【０１５９】
１      画像シェアシステム
２      撮像装置
１１    操作部材
１２    表示部材
１３    ファインダー
２１    レンズ
２２    撮像素子
２３    撮像回路
２４    ＡＥ制御回路
２５    ＡＦ制御回路
２６    画像処理回路
２７    着脱メモリ
２８    内蔵メモリ
２９    通信手段
３０    パワーＳＷ
３１    電池
３２    電源回路
３３    ＣＰＵ
３４    閲覧禁止設定手段
３５    モードＳＷ
３６    コード生成手段
３７    第１記憶手段
３８    第２記憶手段
３９    表示駆動回路
４１    バス
【図１】
2007156812.tif 000003
【図２】
2007156812.tif 000004
【図３】
2007156812.tif 000005
【図４】
2007156812.tif 000006
【図５】
2007156812.tif 000007
【図６】
2007156812.tif 000008
【図７】
2007156812.tif 000009
【図８】
2007156812.tif 000010
【図９】
2007156812.tif 000011
【図１０】
2007156812.tif 000012
【図１１】
2007156812.tif 000013
【図１２】
2007156812.tif 000014
【図１３】
2007156812.tif 000015
【図１４】
2007156812.tif 000016
【図１５】
2007156812.tif 000017